(57)【要約】【課題】  複数のセルとのソフトハンドオーバ通信状態でも確実にパワーコントロールを行うことが可能な移動通信システムを提供する。【解決手段】  移動通信端末１は複数の基地局とのハンドオーバ通信中に、過去のＵＬ−ＴＰＣのパターンとそのタイミングに同期した受信レベルの変化とを比較し、パターンが一致していれば、その基地局２−１がＵＬ−ＴＰＣにしたがって下り送信パワーを制御していると判定し、一致していなければその基地局２−２がＵＬ−ＴＰＣにしたがって下り送信パワーを制御していないと判定する。移動通信端末１は制御していないと判定した基地局からの受信データの品質は無視する。移動通信端末１は自端末から送信したＵＬ−ＴＰＣにしたがって下り送信パワーを制御していると判定した基地局２−１からの受信データの品質が受信所要品質を満たしているかに応じて下り送信パワーコントロールを行う。【選択図】      図１                                                  
2005051571.tif 000002
【特許請求の範囲】
【請求項１】
移動通信端末からのパワーコントロールビットによって基地局の下り送信パワーをコントロールする移動通信システムであって、前記基地局の下り送信パワーが前記移動通信端末から送信されたパワーコントロールビットにしたがっているかどうかを判定する判定手段を前記移動通信端末に有することを特徴とする移動通信システム。
【請求項２】
前記判定手段は、前記移動通信端末から送信された過去のパワーコントロールビットのアップ／ダウン／ホールドのパターンを記憶するパターン記憶手段と、それらパワーコントロールビットのタイミングに同期した前記基地局からの受信レベルの変化を記憶する受信レベル変化記憶手段と、前記パターン記憶手段のパターンと前記受信レベル変化記憶手段の受信レベルの変化とを比較する比較手段とを含み、前記パターンと前記受信レベルの変化とが一致した時に前記基地局が前記パワーコントロールビットにしたがって前記下り送信パワーを制御していると判定し、前記パターンと前記受信レベルの変化とが一致しない時に前記基地局が前記パワーコントロールビットにしたがって前記下り送信パワーを制御していないと判定することを特徴とする請求項１記載の移動通信システム。
【請求項３】
前記判定手段は、前記移動通信端末が複数の基地局とのハンドオーバ通信中に前記基地局の下り送信パワーが前記パワーコントロールビットにしたがっているかどうかを判定することを特徴とする請求項１または請求項２記載の移動通信システム。
【請求項４】
前記基地局の下り送信パワーのコントロールにおいて、前記パワーコントロールビットにしたがって前記下り送信パワーを制御していないと判定した基地局からの受信データの品質を無視することを特徴とする請求項１から請求項３のいずれか記載の移動通信システム。
【請求項５】
前記パワーコントロールビットにしたがって前記下り送信パワーを制御していると判定した基地局からの受信データの品質が受信所要品質を満たしているかどうかに応じて前記基地局の下り送信パワーのコントロールを行うことを特徴とする請求項１から請求項４のいずれか記載の移動通信システム。
【請求項６】
前記パワーコントロールビットにしたがって前記下り送信パワーを制御していると判定した基地局が複数存在する時に、それらの複数の基地局からの受信データのみを合成し、その合成後の受信品質が受信所要品質を満たしているかどうかに応じて前記基地局の下り送信パワーのコントロールを行うことを特徴とする請求項１から請求項５のいずれか記載の移動通信システム。
【請求項７】
パワーコントロールビットを送信して基地局の下り送信パワーをコントロールする移動通信端末であって、前記基地局の下り送信パワーが自端末から送信したパワーコントロールビットにしたがっているかどうかを判定する判定手段を有することを特徴とする移動通信端末。
【請求項８】
前記判定手段は、自端末から送信した過去のパワーコントロールビットのアップ／ダウン／ホールドのパターンを記憶するパターン記憶手段と、それらパワーコントロールビットのタイミングに同期した前記基地局からの受信レベルの変化を記憶する受信レベル変化記憶手段と、前記パターン記憶手段のパターンと前記受信レベル変化記憶手段の受信レベルの変化とを比較する比較手段とを含み、前記パターンと前記受信レベルの変化とが一致した時に前記基地局が前記パワーコントロールビットにしたがって前記下り送信パワーを制御していると判定し、前記パターンと前記受信レベルの変化とが一致しない時に前記基地局が前記パワーコントロールビットにしたがって前記下り送信パワーを制御していないと判定することを特徴とする請求項７記載の移動通信端末。
【請求項９】
前記判定手段は、自端末が複数の基地局とのハンドオーバ通信中に前記基地局の下り送信パワーが前記パワーコントロールビットにしたがっているかどうかを判定することを特徴とする請求項７または請求項８記載の移動通信端末。
【請求項１０】
前記基地局の下り送信パワーのコントロールにおいて、前記パワーコントロールビットにしたがって前記下り送信パワーを制御していないと判定した基地局からの受信データの品質を無視することを特徴とする請求項７から請求項９のいずれか記載の移動通信端末。
【請求項１１】
前記パワーコントロールビットにしたがって前記下り送信パワーを制御していると判定した基地局からの受信データの品質が受信所要品質を満たしているかどうかに応じて前記基地局の下り送信パワーのコントロールを行うことを特徴とする請求項７から請求項１０のいずれか記載の移動通信端末。
【請求項１２】
前記パワーコントロールビットにしたがって前記下り送信パワーを制御していると判定した基地局が複数存在する時に、それらの複数の基地局からの受信データのみを合成し、その合成後の受信品質が受信所要品質を満たしているかどうかに応じて前記基地局の下り送信パワーのコントロールを行うことを特徴とする請求項７から請求項１１のいずれか記載の移動通信端末。
【請求項１３】
移動通信端末からのパワーコントロールビットによって基地局の下り送信パワーをコントロールする移動通信システムのパワーコントロール方法であって、前記移動通信端末側に、前記基地局の下り送信パワーが前記移動通信端末から送信されたパワーコントロールビットにしたがっているかどうかを判定するステップを有することを特徴とするパワーコントロール方法。
【請求項１４】
前記パワーコントロールビットにしたがっているかどうかを判定するステップは、前記移動通信端末から送信された過去のパワーコントロールビットのアップ／ダウン／ホールドのパターンを記憶するパターン記憶手段のパターンとそれらパワーコントロールビットのタイミングに同期した前記基地局からの受信レベルの変化を記憶する受信レベル変化記憶手段の受信レベルの変化とを比較するステップを含み、前記パターンと前記受信レベルの変化とが一致した時に前記基地局が前記パワーコントロールビットにしたがって前記下り送信パワーを制御していると判定し、前記パターンと前記受信レベルの変化とが一致しない時に前記基地局が前記パワーコントロールビットにしたがって前記下り送信パワーを制御していないと判定することを特徴とする請求項１３記載のパワーコントロール方法。
【請求項１５】
前記パワーコントロールビットにしたがっているかどうかを判定するステップは、前記移動通信端末が複数の基地局とのハンドオーバ通信中に前記基地局の下り送信パワーが前記パワーコントロールビットにしたがっているかどうかを判定することを特徴とする請求項１３または請求項１４記載のパワーコントロール方法。
【請求項１６】
前記基地局の下り送信パワーのコントロールにおいて、前記パワーコントロールビットにしたがって前記下り送信パワーを制御していないと判定した基地局からの受信データの品質を無視することを特徴とする請求項１３から請求項１５のいずれか記載のパワーコントロール方法。
【請求項１７】
前記パワーコントロールビットにしたがって前記下り送信パワーを制御していると判定した基地局からの受信データの品質が受信所要品質を満たしているかどうかに応じて前記基地局の下り送信パワーのコントロールを行うことを特徴とする請求項１３から請求項１６のいずれか記載のパワーコントロール方法。
【請求項１８】
前記パワーコントロールビットにしたがって前記下り送信パワーを制御していると判定した基地局が複数存在する時に、それらの複数の基地局からの受信データのみを合成し、その合成後の受信品質が受信所要品質を満たしているかどうかに応じて前記基地局の下り送信パワーのコントロールを行うことを特徴とする請求項１３から請求項１７のいずれか記載のパワーコントロール方法。
【請求項１９】
移動通信端末からのパワーコントロールビットによって基地局の下り送信パワーをコントロールする移動通信システムのパワーコントロール方法のプログラムであって、コンピュータに、前記基地局の下り送信パワーが前記移動通信端末から送信されたパワーコントロールビットにしたがっているかどうかを判定する処理を実行させるためのプログラム。
【発明の詳細な説明】
【技術分野】
【０００１】
本発明は移動通信システム、移動通信端末及びそれに用いるパワーコントロール方法並びにそのプログラムに関し、特にＣＤＭＡ（Ｃｏｄｅ  Ｄｉｖｉｓｉｏｎ  Ｍｕｌｔｉｐｌｅ  Ａｃｃｅｓｓ）方式の移動通信端末におけるパワーコントロール方法に関する。
【背景技術】
【０００２】
従来、ＣＤＭＡ方式の移動通信システムにおいては、図５及び図６に示すように、基地局（Ｎｏｄｅ−Ｂ）４からの下り送信パワーのＵｐ／Ｄｏｗｎ／Ｈｏｌｄが、移動通信端末（ＵＥ：Ｕｓｅｒ  Ｅｑｕｉｐｍｅｎｔ）３から送信する下り送信パワーコントロールビット［ＵＬ−ＴＰＣ（Ｕｐ  Ｌｉｎｋ−Ｔｒａｎｓｍｉｔ  Ｐｏｗｅｒ  Ｃｏｎｔｒｏｌ）］によって制御されている。
【０００３】
移動通信端末３は、常に、下り受信データの品質がサービス毎に規定される所要品質を満たしているかどうかを判定し（図５のａ、図６のａ）、満たしていればＵＬ−ＴＰＣでＤｏｗｎ（ダウン）を送信し（図６のｂ）、満たしていなければＵＬ−ＴＰＣでＵｐ（アップ）を送信する（図５のｂ）。
【０００４】
基地局４は移動通信端末３からのＵＬ−ＴＰＣを受信し、ＵＬ−ＴＰＣがＵｐを示していれば下り送信電力を上げ（図５のｃ）、ＵＬ−ＴＰＣがＤｏｗｎを示していれば下り送信電力を下げる（図６のｃ）。このフィードバック制御によって、移動通信端末３の下り受信データの品質は所要品質に保たれる。
【発明の開示】
【発明が解決しようとする課題】
【０００５】
上述した従来の移動通信システムでは、移動通信端末が一つの基地局と通信をしている場合に有効であるが、移動通信端末が複数の基地局とソフトハンドオーバ通信をしている状態、すなわち下りの無線リンクが複数存在する場合には以下のような問題が起こる。
【０００６】
下り無線リンクが複数存在する場合でも、移動通信端末から送信する上り信号は常に１つであり、ＵＬ−ＴＰＣも１つである。例えば、図７に示すように、移動通信端末３が基地局４−１と通信し、基地局４−１との間で正常にパワーコントロールを行っている時には、基地局４−２が追加（ソフトハンドオーバ）されると、基地局４−２の下り送信パワーが移動通信端末３との間でパワーコントロールを行っていないため、移動通信端末３が所要品質を満たすために不適切なパワーであることがある。
【０００７】
また、移動通信端末３からの上り送信パワーは同じ仕組みで基地局４−１の所要品質を満たすように保たれている（基地局４−２の所要品質を満たすようになっていない）ため、ハンドオーバ開始直後に基地局４−２で移動通信端末３からのＵＬ−ＴＰＣを正常に受信することができないことがある。
【０００８】
ここで、従来の下り送信パワーコントロールでは、移動通信端末３が基地局４−１からの受信データと基地局４−２からの受信データとをＲａｋｅ合成し、合成した受信データが所要品質を満たしているかどうかを判定し、ＵＬ−ＴＰＣを決定している。
【０００９】
すると、上述したように、例えば基地局４−２の下り送信パワーが移動通信端末３から見ると大きすぎて、かつ基地局４−２で移動通信端末３からのＵＬ−ＴＰＣを正常に受信できない状況では、以下の現象が起こる。
【００１０】
移動通信端末３の合成後の受信品質は基地局４−２からの大きな送信パワーが支配的になり、所要品質を大きく上回るため、移動通信端末３がＵＬ−ＴＰＣでＤｏｗｎを送信する（図７のａ−２，ｂ，ｃ、図８のａ−２，ｂ，ｃ）。
【００１１】
しかしながら、ＵＬ−ＴＰＣを正常に受信することができない基地局４−２では、移動通信端末３からのＵＬ−ＴＰＣでのＤｏｗｎにしたがわず、大きな送信パワーで送信を続けるため、移動通信端末３はＵＬ−ＴＰＣでＤｏｗｎを送信し続ける（図７のｄ−２、図８のｄ−２）。
【００１２】
これに対して、基地局４−１ではＵＬ−ＴＰＣを正常に受信することができるため、移動通信端末３から連続して送信されるＵＬ−ＴＰＣでのＤｏｗｎによって（図７のａ−１，ｂ，ｃ、図８のａ−１，ｂ，ｃ）、基地局４−１の下り送信パワーが下がり続け、移動通信端末３にとって受信できないレベルまで下がってしまう（図８のｄ−１）。
【００１３】
すなわち、基地局４−１，４−２のハンドオーバ状態でも、移動通信端末３から見て、下り通信は基地局４−２だけに依存し（基地局４−１からの受信データは受信できない）、上り通信は基地局４−１だけに依存（基地局４−２は移動通信端末３からの送信データを受信できない）するという現象が起こる。
【００１４】
こうなると、ハンドオーバによるＲａｋｅ合成利得が得られないばかりか、片方の基地局の受信電界（ハンドオーバ判定に使用するチャネルの受信電界、通信に使用するチャネルとは異なる）が劣化するため、その基地局とのリンクを切断する（ハンドオーバをやめる）と、その基地局に依存していた上りまたは下りの通信が途絶えるために、通信自体が切断されてしまう。
【００１５】
そこで、本発明の目的は上記の問題点を解消し、複数のセルとのソフトハンドオーバ通信状態でも確実にパワーコントロールを行うことができる移動通信システム、移動通信端末及びそれに用いるパワーコントロール方法並びにそのプログラムを提供することにある。
【課題を解決するための手段】
【００１６】
本発明による移動通信システムは、移動通信端末からのパワーコントロールビットによって基地局の下り送信パワーをコントロールする移動通信システムであって、前記基地局の下り送信パワーが前記移動通信端末から送信されたパワーコントロールビットにしたがっているかどうかを判定する判定手段を前記移動通信端末に備えている。
【００１７】
本発明による移動通信端末は、パワーコントロールビットを送信して基地局の下り送信パワーをコントロールする移動通信端末であって、前記基地局の下り送信パワーが自端末から送信したパワーコントロールビットにしたがっているかどうかを判定する判定手段を備えている。
【００１８】
本発明によるパワーコントロール方法は、移動通信端末からのパワーコントロールビットによって基地局の下り送信パワーをコントロールする移動通信システムのパワーコントロール方法であって、前記移動通信端末側に、前記基地局の下り送信パワーが前記移動通信端末から送信されたパワーコントロールビットにしたがっているかどうかを判定するステップを備えている。
【００１９】
本発明によるパワーコントロール方法のプログラムは、移動通信端末からのパワーコントロールビットによって基地局の下り送信パワーをコントロールする移動通信システムのパワーコントロール方法のプログラムであって、コンピュータに、前記基地局の下り送信パワーが前記移動通信端末から送信されたパワーコントロールビットにしたがっているかどうかを判定する処理を実行させている。
【００２０】
すなわち、本発明の移動通信システムは、上記の問題を改善するために、ＣＤＭＡ（Ｃｏｄｅ  Ｄｉｖｉｓｉｏｎ  Ｍｕｌｔｉｐｌｅ  Ａｃｃｅｓｓ）方式の移動通信端末（ＵＥ：Ｕｓｅｒ  Ｅｑｕｉｐｍｅｎｔ）の下り送信パワーコントロールの方法を提案している。
【００２１】
本発明の移動通信システムでは、移動通信端末が複数の基地局（Ｎｏｄｅ−Ｂ）とのハンドオーバ通信中、その移動通信端末が送信した下り送信パワーコントロールビット［ＵＬ−ＴＰＣ（Ｕｐ  Ｌｉｎｋ−Ｔｒａｎｓｍｉｔ  Ｐｏｗｅｒ  Ｃｏｎｔｒｏｌ）］に、複数の基地局各々の下り送信パワーがしたがっているかを判定している。
【００２２】
具体的に説明すると、本発明の移動通信システムでは、例えば移動通信端末が送信した過去何サンプルかのＵＬ−ＴＰＣ［アップ（Ｕｐ）／ダウン（Ｄｏｗｎ）／ホールド（Ｈｏｌｄ）］と、そのタイミングに同期した各基地局からの受信レベルの変化（Ｕｐ／Ｄｏｗｎ／Ｈｏｌｄ）とを比較し、それぞれのＵｐ／Ｄｏｗｎ／Ｈｏｌｄのパターンが一致していれば、その基地局がＵＬ−ＴＰＣを正常に受信していると判定し、一致していなければその基地局がＵＬ−ＴＰＣを正常に受信していないと判定する。
【００２３】
また、本発明の移動通信システムでは、移動通信端末が送信したＵＬ−ＴＰＣを正常に受信していないと判定した基地局からの受信データの品質を無視し、ＵＬ−ＴＰＣを正常に受信していると判定した基地局からの受信データの品質がサービス毎に規定されている所要品質を満たしているかどうかでのみ、下りパワーコントロールを行う。
【００２４】
例えば、移動通信端末はＵＬ−ＴＰＣを正常に受信していると判定した基地局が複数あった場合、それらの基地局からの受信データのみを合成し、合成後の受信品質がサービス毎に規定される所要品質を満たしているかどうかを判定し、満たしていればＵＬ−ＴＰＣでＤｏｗｎを送信し、満たしていなければＵＬ−ＴＰＣでＵｐを送信する。
【００２５】
一方、ＵＬ−ＴＰＣを正常に受信していない基地局については、移動通信端末が移動してその基地局に近づいていけば、ＵＬ−ＴＰＣが正常に届き始めて、下り送信パワーが適切に制御され、遠ざかれば受信電界劣化によってリンクを切断する（ハンドオーバをやめる）だけである。
【発明を実施するための最良の形態】
【００２６】
次に、本発明の実施の形態について図面を参照して説明する。図１は本発明の実施の形態による移動通信システムの構成を示すブロック図である。図１において、本発明の実施の形態による移動通信システムはＣＤＭＡ（Ｃｏｄｅ  Ｄｉｖｉｓｉｏｎ  Ｍｕｌｔｉｐｌｅ  Ａｃｃｅｓｓ）方式の移動通信端末（ＵＥ：Ｕｓｅｒ  Ｅｑｕｉｐｍｅｎｔ）１と、複数の基地局（Ｎｏｄｅ−Ｂ）２−１，２−２とから構成されている。
【００２７】
移動通信端末１では自端末から送信したパワーコントロールビット［ＵＬ−ＴＰＣ（Ｕｐ  Ｌｉｎｋ−Ｔｒａｎｓｍｉｔ  Ｐｏｗｅｒ  Ｃｏｎｔｒｏｌ）］に、基地局２−１，２−２の下り送信パワーがしたがっているかどうかを判定している。
【００２８】
つまり、移動通信端末１は自端末から送信した過去のＵＬ−ＴＰＣのアップ（Ｕｐ）／ダウン（Ｄｏｗｎ）／ホールド（Ｈｏｌｄ）のパターンと、そのタイミングに同期した基地局２−１，２−２からの受信レベルの変化（Ｕｐ／Ｄｏｗｎ／Ｈｏｌｄ）のパターンとを比較する。移動通信端末１はそれらＵｐ／Ｄｏｗｎ／Ｈｏｌｄのパターンが一致していれば、基地局２−１，２−２がＵＬ−ＴＰＣにしたがって下り送信パワーを制御していると判定し、一致していなければ基地局２−１，２−２がＵＬ−ＴＰＣにしたがって下り送信パワーを制御していないと判定する。
【００２９】
また、移動通信端末１は複数の基地局２−１，２−２とのハンドオーバ通信中に、自ら送信した過去のＵＬ−ＴＰＣパターン（Ｕｐ／Ｄｏｗｎ／Ｈｏｌｄ）と、そのタイミングに同期した各基地局２−１，２−２からの受信レベルの変化（Ｕｐ／Ｄｏｗｎ／Ｈｏｌｄのパターン）とを比較する（図１のａ１，ａ２）。
【００３０】
移動通信端末１はＵｐ／Ｄｏｗｎ／Ｈｏｌｄのパターンが一致していれば、その基地局２−１がＵＬ−ＴＰＣにしたがって下り送信パワーを制御していると判定し（図１のａ１）、一致していなければその基地局２−２がＵＬ−ＴＰＣにしたがって下り送信パワーを制御していないと判定する（図１のａ２）。この場合、移動通信端末１は制御していないと判定した基地局からの受信データの品質は無視する。
【００３１】
さらに、移動通信端末１は自端末から送信したＵＬ−ＴＰＣにしたがって下り送信パワーを制御していると判定した基地局２−１からの受信データの品質が受信所要品質を満たしているかに応じて下り送信パワーコントロールを行う（図１のｂ，ｃ，ｄ１）。
【００３２】
例えば、ＵＬ−ＴＰＣにしたがっていると判定した基地局が複数あった場合、移動通信端末１はそれらの基地局からの受信データのみを合成し、合成後の受信品質が受信所要品質を満たしているかどうかを判定し、満たしていればＵＬ−ＴＰＣでＤｏｗｎを送信し、満たしていなければＵＬ−ＴＰＣでＵｐを送信する。
【実施例１】
【００３３】
図２は本発明の一実施例による移動通信端末の構成を示すブロック図である。図２において、移動通信端末１は無線送受信部１１と、下りパワーコントロール部１２と、ＵＬ−ＴＰＣパターン記憶部１３と、受信レベル変化記憶部１４と、比較部１５と、受信データ品質検出部１６と、記録媒体１７とから構成されている。尚、移動通信端末１は上記の図１に示す本発明の実施の形態による移動通信システムの移動通信端末１を示しており、記録媒体１７には移動通信端末１の各部を実現するためのプログラム（コンピュータで実行可能なプログラム）が格納されている。
【００３４】
無線送受信部１１は図示せぬ基地局と無線にてデータや制御信号等の送受信を行い、下りパワーコントロール部１２は比較部１５の比較結果と受信データ品質検出部１６で検出された品質とを基にＵＬ−ＴＰＣパターン（Ｕｐ／Ｄｏｗｎ／Ｈｏｌｄ）を作成して基地局に送信することで、基地局の下り送信パワーのコントロールを行う。
【００３５】
ＵＬ−ＴＰＣパターン記憶部１３は下りパワーコントロール部１２から送信されるＵＬ−ＴＰＣパターン（Ｕｐ／Ｄｏｗｎ／Ｈｏｌｄ）を記憶する。受信レベル変化記憶部１４は下りパワーコントロール部１２からのＵＬ−ＴＰＣパターン（Ｕｐ／Ｄｏｗｎ／Ｈｏｌｄ）の送信タイミングに同期した各基地局からの受信レベルの変化（Ｕｐ／Ｄｏｗｎ／Ｈｏｌｄのパターン）を記憶する。
【００３６】
比較部１５はＵＬ−ＴＰＣパターン記憶部１３に記憶されたＵＬ−ＴＰＣパターン（Ｕｐ／Ｄｏｗｎ／Ｈｏｌｄ）と、受信レベル変化記憶部１４に記憶された受信レベルの変化（Ｕｐ／Ｄｏｗｎ／Ｈｏｌｄのパターン）とを比較し、それらの一致不一致を下りパワーコントロール部１２に送る。受信データ品質検出部１６は無線送受信部１１で受信した受信データの品質を検出し、その品質を下りパワーコントロール部１２に送る。
【００３７】
尚、図示していないが、移動通信端末１における音声処理や画像処理、及び計算処理等は公知であるので、その構成や動作の説明は省略する。
【００３８】
図３は本発明の一実施例による移動通信端末の動作を示すフローチャートである。これら図１〜図３を参照して本発明の一実施例による移動通信端末の動作について説明する。尚、図３に示す処理は移動通信端末１を構成するコンピュータが記録媒体１７のプログラムを実行することで実現される。
【００３９】
移動通信端末１は複数の基地局２−１，２−２とのハンドオーバ通信中、自端末から送信した下り送信パワーコントロールビット（ＵＬ−ＴＰＣ）に、それぞれの基地局２−１，２−２の下り送信パワーがしたがっているかを判定する。
【００４０】
具体的に述べると、移動通信端末１は、例えば自端末から送信した過去何サンプルかのＵＬ−ＴＰＣ（Ｕｐ／Ｄｏｗｎ／Ｈｏｌｄのパターン）（ＵＬ−ＴＰＣパターン記憶部１３に記憶されたＵＬ−ＴＰＣパターン）と、そのタイミングに同期したそれぞれの基地局２−１，２−２からの受信レベルの変化（Ｕｐ／Ｄｏｗｎ／Ｈｏｌｄのパターン）（受信レベル変化記憶部１４に記憶された受信レベルの変化のパターン）とを比較する（図３ステップＳ１）。
【００４１】
移動通信端末１は、ＵＬ−ＴＰＣパターン記憶部１３及び受信レベル変化記憶部１４各々に記憶されたＵｐ／Ｄｏｗｎ／Ｈｏｌｄのパターンが一致していれば（図３ステップＳ２）、その基地局２−１，２−２がＵＬ−ＴＰＣを正常に受信できていると判定し（図３ステップＳ３）、一致していなければ（図３ステップＳ２）、その基地局はＵＬ−ＴＰＣを正常に受信できていないと判定する（図３ステップＳ４）。
【００４２】
移動通信端末１はＵＬ−ＴＰＣパターン記憶部１３及び受信レベル変化記憶部１４各々に記憶されたＵｐ／Ｄｏｗｎ／Ｈｏｌｄのパターン全てを比較すると（図３ステップＳ５）、ＵＬ−ＴＰＣを正常に受信していないと判定した基地局からの受信データの品質を無視し（図３ステップＳ６）、ＵＬ−ＴＰＣを正常に受信していると判定した基地局からの受信データの品質がサービス毎に規定されている所要品質を満たしているかどうかでのみ、下りパワーコントロールを行う（図３ステップＳ７〜Ｓ９）。
【００４３】
つまり、移動通信端末１はその基地局からの受信データの受信品質が受信所要品質を満たしているかどうかを判定し（図３ステップＳ７）、満たしていればＵＬ−ＴＰＣでＤｏｗｎを送信し（図３ステップＳ８）、満たしていなければＵＬ−ＴＰＣでＵｐを送信する（図３ステップＳ９）。
【００４４】
一方、ＵＬ−ＴＰＣを正常に受信していない基地局２−２については、移動通信端末１が移動してその基地局に近づいていけば、ＵＬ−ＴＰＣが正常に届き始めて下り送信パワーが適切に制御されるし、遠ざかれば受信電界劣化によってリンクを切断する（ハンドオーバをやめる）だけである。
【００４５】
このように、本実施例では、移動通信端末１において、複数セルとのソフトハンドオーバ通信状態でも確実にパワーコントロールを行うことができる。すなわち、本実施例では、移動通信端末１からのＵＬ−ＴＰＣを正常に受信している基地局との下りパワーコントロールが正常に行われるため、上り通信は一方の基地局のみに依存し、下り通信は他方の基地局のみに依存するという不安定な状態を防ぐことができ、呼切断を未然に防ぐことができる。
【実施例２】
【００４６】
図４は本発明の他の実施例による移動通信端末の動作を示すフローチャートである。本発明の他の実施例は上記の図１に示すシステム構成となっており、そこで用いられる移動通信端末は図２をに示す構成となっている。そこで、図１と図２と図４とを参照して本発明の他の実施例による移動通信端末の動作について説明する。尚、図４に示す処理は移動通信端末１を構成するコンピュータが記録媒体１７のプログラムを実行することで実現される。
【００４７】
移動通信端末１は複数の基地局２−１，２−２とのハンドオーバ通信中、自端末から送信した下り送信パワーコントロールビット（ＵＬ−ＴＰＣ）に、それぞれの基地局２−１，２−２の下り送信パワーがしたがっているかを判定する。
【００４８】
具体的に述べると、移動通信端末１は、例えば自端末から送信した過去何サンプルかのＵＬ−ＴＰＣ（Ｕｐ／Ｄｏｗｎ／Ｈｏｌｄのパターン）（ＵＬ−ＴＰＣパターン記憶部１３に記憶されたＵＬ−ＴＰＣパターン）と、そのタイミングに同期したそれぞれの基地局２−１，２−２からの受信レベルの変化（Ｕｐ／Ｄｏｗｎ／Ｈｏｌｄのパターン）（受信レベル変化記憶部１４に記憶された受信レベルの変化のパターン）とを比較する（図４ステップＳ１１）。
【００４９】
移動通信端末１は、ＵＬ−ＴＰＣパターン記憶部１３及び受信レベル変化記憶部１４各々に記憶されたＵｐ／Ｄｏｗｎ／Ｈｏｌｄのパターンが一致していれば（図４ステップＳ１２）、その基地局２−１，２−２がＵＬ−ＴＰＣを正常に受信できていると判定し（図４ステップＳ１３）、一致していなければ（図４ステップＳ１２）、その基地局はＵＬ−ＴＰＣを正常に受信できていないと判定する（図４ステップＳ１４）。
【００５０】
移動通信端末１はＵＬ−ＴＰＣパターン記憶部１３及び受信レベル変化記憶部１４各々に記憶されたＵｐ／Ｄｏｗｎ／Ｈｏｌｄのパターン全てを比較すると（図４ステップＳ１５）、ＵＬ−ＴＰＣを正常に受信していないと判定した基地局からの受信データの品質を無視し（図４ステップＳ１６）、ＵＬ−ＴＰＣを正常に受信していると判定した基地局からの受信データの品質がサービス毎に規定されている所要品質を満たしているかどうかでのみ、下りパワーコントロールを行う（図４ステップＳ１７〜Ｓ２１）。
【００５１】
この場合、移動通信端末１は正常と判定された基地局が複数あれば（図４ステップＳ１７）、それらの基地局からの受信データのみを合成し（図４ステップＳ１８）、その基地局からの受信データの受信品質が受信所要品質を満たしているかどうかを判定し（図４ステップＳ１９）、満たしていればＵＬ−ＴＰＣでＤｏｗｎを送信し（図４ステップＳ２０）、満たしていなければＵＬ−ＴＰＣでＵｐを送信する（図４ステップＳ２１）。
【００５２】
このように、本実施例では、移動通信端末１において、複数セルとのソフトハンドオーバ通信状態でも確実にパワーコントロールを行うことができる。すなわち、本実施例では、移動通信端末１からのＵＬ−ＴＰＣを正常に受信している基地局との下りパワーコントロールが正常に行われるため、上り通信は一方の基地局のみに依存し、下り通信は他方の基地局のみに依存するという不安定な状態を防ぐことができ、呼切断を未然に防ぐことができる。
【図面の簡単な説明】
【００５３】
【図１】本発明の実施の形態による移動通信システムの構成を示すブロック図である。
【図２】本発明の一実施例による移動通信端末の構成を示すブロック図である。
【図３】本発明の一実施例による移動通信端末の動作を示すフローチャートである。
【図４】本発明の他の実施例による移動通信端末の動作を示すフローチャートである。
【図５】従来のＵＬ−ＴＰＣによる下りパワーコントロールを示す図である。
【図６】従来のＵＬ−ＴＰＣによる下りパワーコントロールを示す図である。
【図７】従来のソフトハンドオーバ時のＵＬ−ＴＰＣによる下りパワーコントロールを示す図である。
【図８】従来のソフトハンドオーバ時のＵＬ−ＴＰＣによる下りパワーコントロールを示す図である。
【符号の説明】
【００５４】
１  移動通信端末
２−１，２−２  基地局
１１  無線送受信部
１２  下りパワーコントロール部
１３  ＵＬ−ＴＰＣパターン記憶部
１４  受信レベル変化記憶部
１５  比較部
１６  受信データ品質検出部
１７  記録媒体
【図１】
2005051571.tif 000003
【図２】
2005051571.tif 000004
【図３】
2005051571.tif 000005
【図４】
2005051571.tif 000006
【図５】
2005051571.tif 000007
【図６】
2005051571.tif 000008
【図７】
2005051571.tif 000009
【図８】
2005051571.tif 000010